(57)【特許請求の範囲】
【請求項１】
建物の土台部或は機械器具装置の据え付け部に上下方向に間隔をおき十字クロスして固定配設され，互いに両側面にＶ字形切欠摺動面２，２、４，４を対称状に形成せる上部ガイドレール１と下部ガイドレール３と、内部にＵ字形上部嵌合溝６と逆Ｕ字形下部嵌合溝７とを上下方向に間隔をおき十字クロスさせて一体成型するとともに，このＵ字形上部嵌合溝６と逆Ｕ字形下部嵌合溝７とを介して前記上部ガイドレール１と下部ガイドレール３との交叉部外面に摺動可能に挿通嵌合するガイドホルダー５と、前記Ｕ字形上部嵌合溝６と逆Ｕ字形下部嵌合溝７内に配設されて上部及び下部の各ガイドレール１，３とガイドホルダー５とを面接触により摺動自在に係合せしめる，木質系多孔質炭素材料のウッドセラミックスからなる摩擦体によるスライダーとを具備しており、  この上部及び下部の各ガイドレール１，３とガイドホルダー５とを面接触により摺動自在に係合せしめるウッドセラミックスからなる摩擦体によるスライダーとしては、ガイドホルダー５のＵ字形上部嵌合溝６の下面と逆Ｕ字形下部嵌合溝７の上面とに嵌着して配設され，各々上部ガイドレール１の下面と下部ガイドレール３の上面とに摺動自在に接触係合する下面スライダー９及び上面スライダー１０と、前記ガイドホルダー５のＵ字形上部嵌合溝６と逆Ｕ字形下部嵌合溝７の両側面に，各々摺動部材１２，１４に嵌着して配設され上部ガイドレール１両側面のＶ字形切欠摺動面２，２における下方傾斜面と下部ガイドレール３両側面のＶ字形切欠摺動面４，４における上方傾斜面とに摺動自在に接触係合する側面スライダー１１，１３とにより形成し、この各々摺動部材１２，１４に嵌着して配設された側面スライダー１１，１３をＵ字形上部嵌合溝６と逆Ｕ字形下部嵌合溝７の両側面に対し取り付けネジ１５を介して緊締・弛緩自在に取り付けるとともに、その取り付けネジ１５を介した弛緩時に押圧調整ネジ１６又はボールプランジャを介して側面スライダー１１，１３を嵌着した摺動部材１２，１４を揺動可能に支持せしめてスライダー１１，１３の上部及び下部ガイドレール１，３のＶ字形切欠摺動面２，４に対する接触圧力の調整を自在ならしめたことを特徴とする無潤滑免震装置。
【請求項２】
上部及び下部のガイドレール１，３として、ウッドセラミックスからなる摩擦体によるスライダー９，１０，１１，１３の保有する摩擦特性をより有効に発揮させ，且つ装置の設置環境からの腐食に対する耐蝕性を増大させるべく，ＳＵＳ３０４等のステンレス系の特殊鋼を用いたことを特徴とする請求項１記載の無潤滑免震装置。
【請求項３】
上部及び下部のＵ字形及び逆Ｕ字形嵌合溝６，７内にガイドレール１，３と摺動自在に接触係合するスライダー９，１０，１１，１３を配設せしめたガイドホルダー５として、装置の設置環境からの腐食に対する耐蝕性を増大し経年変化による狂いを防止するべく，ＳＵＳ３０４等のステンレス系の特殊鋼を用いたことを特徴とする請求項１又は２記載の無潤滑免震装置。
【請求項４】
上部及び下部ガイドレール１，３とガイドホルダー５との摺動自在な接触係合を図る摩擦体によるスライダー９，１０，１１，１３として、木質系以外の植物の多孔質炭素材料を原材料としウッドセラミックスと同様な製造方法で得られるその他の植物性セラミックスからなる摩擦体によるスライダーを用いたことを特徴とする請求項１，２又は３記載の無潤滑免震装置。
【発明の詳細な説明】
【０００１】
【発明が属する技術分野】
本発明は、建物の土台部或は機械器具装置の据え付け部に配置して用いられ、該部に上下方向に間隔をおいて十字クロスさせた軸を配設しその交叉部外面に軸受けを嵌合するとともにその軸受けを軸に沿って或は軸を軸受けに沿って相互にスライドさせることにより，地震による揺れをダンパーのように吸収して建物或は機械器具類の地震による歪形乃至破損を防止する免震装置に関するものである。そして特に，そのスライド機構部に優れた摩擦特性と摩擦振動抑制機能を有するウッドセラミックス等の摩擦体を利用した面接触による摺動機構を採用することによって従来では困難であった軽量建築物や軽量機械器具装置類の免震をも的確にそして経済的に図り得る無潤滑免震装置に係るものである。
【０００２】
【従来の技術】
地震の揺れには縦揺れと横揺れとがあるが、建築物は一般に縦揺れに抗し得るように構造的な配慮がなされている。  しかし地震による被害は横揺れに原因する場合が多いとされており、そこに建築物自身の構造的配慮とは別に，地震の揺れを吸収してその被害を少なくする免震装置の設置の必要がある。
従来の免震装置としては、前記軸受けと軸とのスライド機構としてスチールボールや各種金属の合金を利用した転がり摺動機構が一般に用いられていた。
しかしこの場合には、その摩擦体の素材と摺動機構の構造の関係で次のような種々の難点を有している。
即ち，比較的摩擦係数が大きくその変動も大きく不安定で安定した摩擦特性が得られず，また摩擦速度（摺動速度）が増加するにつれて摩擦係数が漸次減少する特性を有し摩擦速度の増加に伴う摩擦振動の抑制機能に優れないため、安定した動作精度が得られず、摺動に大きな動作エネルギーを必要とする。
そして，摩擦変動が大きく不安定であるため，地震の横揺れを受けた当初と受けている最中の摺動機構の揺れスピード（動作速度）が不安定で突然大きく揺れだすこともあり、また，転がり摺動機構で応力を点接触により受ける構造であるため，上下方向の荷重特に上方への引き抜き荷重に弱い性質を有し、それだけ建物への影響従って破損率も大きくなる。
そのため以上の点が原因で，従来の免震装置はビルやマンション等の重量建築物でないとその機能を充分に発揮することができず、その分コスト高となるとともに、軽量住宅（一戸建て住宅）や軽量機械器具類の免震を的確に図ることは困難であった。
また．耐摩耗性や耐蝕性にも優れないため、前記安定した摩擦特性が得られないことと相まって、経年変化による機構の狂いが生じ耐久性上問題がある。
更に，動作に潤滑油を必要とする関係上、その機能が低下するところや損なわれるところでは使用が困難で使用場所や使用条件に制約が伴うとともに、メンテナンスに多大な労力と費用を必要とする。
【０００３】
【発明が解決しようとする課題】
そこで本発明は、免震装置の摺動機構の素材と構造に工夫を施すことにより、前記従来装置が有する種々の難点を解消することを課題とする。
即ち，特に，装置のスライド機構部に優れた摩擦特性と摩擦振動抑制機能を有し，無潤滑でも安定した動作精度と高い耐久性が得られるウッドセラミックス等の摩擦体を利用した面接触によるものを用いることによって、従来では困難であった一般住宅等の軽量建築物や軽量機械器具類の免震をも的確に且つ経済的に図り得る無潤滑免震装置の提供を目的とする。
【０００４】
【課題を解決するための手段】
本発明は前記の目的を達成するために，次のような手段を講じている。
【０００５】
先ず基本的には、建物の土台部或は機械器具装置の据え付け部に上下方向に間隔をおき十字クロスして固定配設され，互いに両側面にＶ字形切欠摺動面２，２、４，４を対称状に形成せる上部ガイドレール１と下部ガイドレール３と、内部にＵ字形上部嵌合溝６と逆Ｕ字形下部嵌合溝７とを上下方向に間隔をおき十字クロスさせて一体成型するとともに，このＵ字形上部嵌合溝６と逆Ｕ字形下部嵌合溝７とを介して前記上部ガイドレール１と下部ガイドレール３との交叉部外面に摺動可能に挿通嵌合するガイドホルダー５と、前記Ｕ字形上部嵌合溝６と逆Ｕ字形下部嵌合溝７内に配設されて上部及び下部の各ガイドレール１，３とガイドホルダー５とを面接触により摺動自在に係合せしめる，木質系多孔質炭素材料のウッドセラミックスからなる摩擦体によるスライダーとを具備せしめたことを特徴とする。
【０００６】
そして前記上部及び下部の各ガイドレール１，３とガイドホルダー５とを面接触により摺動自在に係合せしめるウッドセラミックスからなる摩擦体によるスライダーとしては、ガイドホルダー５のＵ字形上部嵌合溝６の下面と逆Ｕ字形下部嵌合溝７の上面とに嵌着して配設され，各々上部ガイドレール１の下面と下部ガイドレール３の上面とに摺動自在に接触係合する下面スライダー９及び上面スライダー１０と、前記ガイドホルダー５のＵ字形上部嵌合溝６と逆Ｕ字形下部嵌合溝７の両側面に，各々摺動部材１２，１４に嵌着して配設され上部ガイドレール１両側面のＶ字形切欠摺動面２，２における下方傾斜面と下部ガイドレール３両側面のＶ字形切欠摺動面４，４における上方傾斜面とに摺動自在に接触係合する側面スライダー１１，１３とにより形成し、この各々摺動部材１２，１４に嵌着して配設された側面スライダー１１，１３をＵ字形上部嵌合溝６と逆Ｕ字形下部嵌合溝７の両側面に対し取り付けネジ１５を介して緊締・弛緩自在に取り付けるとともに、その取り付けネジ１５を介した弛緩時に押圧調整ネジ１６又はボールプランジャを介して側面スライダー１１，１３を嵌着した摺動部材１２，１４を揺動可能に支持せしめてスライダー１１，１３の上部及び下部ガイドレール１，３のＶ字形切欠摺動面２，４に対する接触圧力の調整を自在ならしめたものである。
【０００７】
また，前記の上部及び下部のガイドレール１，３として、ウッドセラミックスからなる摩擦体によるスライダー９，１０，１１，１３の保有する摩擦特性をより有効に発揮させ，且つ装置の設置環境からの腐食に対する耐蝕性を増大させるためには，ＳＵＳ３０４等のステンレス系の特殊鋼を用いる。
【０００８】
また同じく，前記の上部及び下部のＵ字形及び逆Ｕ字形嵌合溝６，７内にガイドレール１，３と摺動自在に接触係合するスライダー９，１０，１１，１３を配設せしめたガイドホルダー５として、装置の設置環境からの腐食に対する耐蝕性を増大させ経年変化による狂いを防止するためには、ＳＵＳ３０４等のステンレス系の特殊鋼を用いる。
【０００９】
更に，前記の上部及び下部ガイドレール１，３とガイドホルダー５との摺動自在な接触係合を図る摩擦体によるスライダー９，１０，１１，１３として、木質系以外の植物の多孔質炭素材料を原材料としウッドセラミックスと同様な製造方法で得られるその他の植物性セラミックスからなる摩擦体によるスライダーを用いる場合もある。
【００１０】
【発明の実施の形態】
別紙図面（図１乃至図１１）に基づき本発明の実施の形態の一例について説明する。
【００１１】
図１は、本発明の実施形態に係る免震装置の平面図、図２はその一部を断面とした正面図、図３は同じく一部を断面とした側面図である。  １は両側面にＶ字形切欠摺動面２，２を対称形に形成した上部ガイドレール、３はそれと逆さまの状態で配置される下部ガイドレールで、同様に両側面にＶ字形切欠摺動面４，４を対称形に形成している。  ５は、上下方向に間隔をおいて十字形状に交叉して配置される前記上部及び下部ガイドレール１と３の交叉部に後記の嵌合溝６，７を介して摺動可能に嵌合されるガイドホルダーである。
【００１２】
ガイドホルダー５内には、Ｕ字形上部嵌合溝６と逆Ｕ字形下部嵌合溝７とが上下方向に間隔を置いて十字クロスさせた（一方を９０度回転させた）状態で一体に形成されている。  ガイドホルダー５の上部嵌合溝６には，上部ガイドレール１が挿通嵌合され、下部嵌合溝７には，下部ガイドレール３が挿通嵌合される。
上部ガイドレール１は、ガイドホルダー５へ嵌合した後，建物の土台部の鉄骨梁Ｕへ固定され（図２，図４，図９参照）、下部ガイドレール３は、ガイドホルダー５へ嵌合した後，取り付け台８を介して建物土台部の基礎コンクリートＣへ固定される（図２乃至図９参照）。
【００１３】
ガイドホルダー５のＵ字形上部嵌合溝６の下面には、上部ガイドレール１下面に摺動自在に面接触により係合する一対の下面スライダー９，９が埋設固定されている。逆Ｕ字形下部嵌合溝７の上面にも、下部ガイドレール３上面に摺動自在に面接触により係合する一対の上面スライダー１０，１０が埋設固定されている。  下面スライダー９と上面スライダー１０は共に、上部嵌合溝６と下部嵌合溝７内にαの僅かな距離だけ突出している（図２，図３参照）。
【００１４】
ガイドホルダー５のＵ字形上部嵌合溝６の両側面には、側面スライダー１１，１１を埋設固定した断面ほぼ逆三角形状の摺動部材１２，１２が取り付けネジ１５，１５を介して緊締・弛緩自在に取り付けられている（図４参照）。  側面スライダー１１は、下面及び上面スライダー９，１０と同様に摺動部材１２より僅かな距離だけ外部に突出している。また側面スライダー１１，１１は、取り付けネジ１５，１５を弛緩させたときに，押圧調整ネジ（又はボールプランジャ）１６，１６を介して摺動部材１２，１２を揺動可能に支持せしめることにより，上部ガイドレール１両側面のＶ字形切欠摺動面２，２に対する接触圧力が適度に調整されて摺動自在に面接触により係合されるようになっている（図２参照）。
ガイドホルダー５の逆Ｕ字形下部嵌合溝７の両側面にも同様に、側面スライダー１３，１３を埋設固定した断面ほぼ三角形状の摺動部材１４，１４が、取り付けネジ１５，１５を介して緊締・弛緩自在に取り付けられている（図示省略）。  側面スライダー１３，１３は、摺動部材１４，１４より僅かな距離だけ外部に突出している。また側面スライダー１３，１３は、取り付けネジ１５，１５を弛緩させたときに，押圧調整ネジ（又はボールプランジャ）１６，１６を介して摺動部材１４，１４を揺動可能に支持せしめることにより，下部ガイドレール３両側面のＶ字形切欠摺動面４，４に対する接触圧力が適度に調整されて摺動自在に面接触により係合されるようになっている（図３，図５参照）。
【００１５】
図４及び図５は、上部及び下部ガイドレール１，３と、ガイドホルダー５と、下面，上面，側面スライダー９，１０，１１，１３との相互関係（組み立てセット状態）を示した説明図である。  先ず図４の如く，取り付けネジ１５を緊締して摺動部材１２，１２をＵ字形上部嵌合溝６の両側面に密着させる。このとき，側面スライダー１１，１１と上部ガイドレール１のＶ字形切欠摺動面２，２との間にはＡの間隙が開くように設定してある（逆Ｕ字形下部嵌合溝７においても同様の操作を行う）。  従って，ガイドホルダー５の上部嵌合溝６及び下部嵌合溝７内への上部ガイドレール１及び下部ガイドレール３の挿通嵌合は円滑容易に行うことができる。
次に取り付けネジ１５，１５を緩めて図５で示す如く，ガイドホルダー５にセットした押圧調整ネジ１６，１６を介して摺動部材１４、１４を下部ガイドレール３のＶ字形切欠摺動面４，４に向かって押し込んで程よい程度に接触せしめ、調整ネジ１６，１６の押し込み操作量の調整により側面スライダー１３と下部ガイドレール３のＶ字形切欠摺動面４，４（この場合上方の傾斜面）との接触圧力を適度に調整する。  すると，下部嵌合溝７両側面と摺動部材１４，１４との間にはＤの間隙が確保されるので、側面スライダー１３を取り付けた摺動部材１４，１４は押圧調整ネジ１６，１６の先端部を中心としてＢの角度だけ自由に揺動可能（フローティング可能）となる（以上の操作は、上部嵌合溝６内における摺動部材１２，１２においても同様）。  従って上部及び下部ガイドレール１，３から無理な荷重がかかった場合においても、この側面スライダー１１，１３を有する摺動部材１２，１４の揺動作用により，上部及び下部ガイドレール１，３と側面スライダー１１，１３従ってガイドホルダー５とは常に円滑に且つ軽快に面接触による摺動を行うことができる。
【００１６】
図９は、前記の上部，下部ガイドレール１，３、ガイドホルダー５、上面，下面，側面スライダー９，１０，１１，１３等からなる免震装置Ｓの建物の土台部における配設要領を示す概略説明図であり、同図から明らかなように、免震装置Ｓを建物の鉄骨梁Ｕと地中に埋設された基礎コンクリートＣとの間に、建物の規模，地盤の関係等を考慮して適宜数，適宜位置に配置する。Ｙは床板、Ｔは壁面である。
上部ガイドレール１は鉄骨梁Ｕに固定され、下部ガイドレール３は取り付け台８にボルト１７にて固定され、取り付け台８はアンカーボルト１８にて基礎コンクリートＣに固定される。
【００１７】
上記の下面スライダー９，上面スライダー１０，側面スライダー１１，１３は、自己潤滑作用を有する木質系多孔質炭素材料を素材とするウッドセラミックスからなる摩擦体を用いている。  このウッドセラミックスからなる摩擦体は、耐摩耗性，振動抑制機能，耐久性に優れ、軽量で強靭で摩擦抵抗が極めて小さく摩擦変動が安定している等優れた摩擦特性を有している。  実際には特に，木材等の木質系多孔質炭素材料にフェノール樹脂を含浸させた硬質ガラス状炭素を約３０％以上含有させ、これを真空炉で約８００度Ｃ以上の温度にて焼成したものを用いる。
【００１８】
上部及び下部のガイドレール１，３並びにガイドホルダー５は、ウッドセラミックスからなる摩擦体によるスライダ−の保有する優れた摩擦特性をより有効に発揮させ，且つ装置の設置環境からの腐食に対する耐蝕性を増大させるために、ＳＵＳ３０４等のステンレス系の特殊鋼を用いている。
【００１９】
上記のスライダー９，１０，１１，１３としては、ウッドセラミックスからなる摩擦体によるものの他に、木質系以外の植物の多孔質炭素材料，例えば竹，籾殻，米糠等を素材としてウッドセラミックスと同様に炭化焼成して形成されたその他の植物性セラミックスを用いる場合もある。
【００２０】
図６乃至図８は、上記本発明実施形態に係る免地装置の地震の横波による動作説明図である。
図６において、上部ガイドレール１に沿ったＹ軸方向に地震の横波によるＥ，Ｆの揺れが生じた場合、基礎コンクリートＣに固定した下部ガイドレール３がＥ，Ｆの距離だけ動き３ａ，３ｂの位置まで移動し、それに伴いガイドホルダー５は上部ガイドレール１に沿って下部ガイドレール３の移動位置まで摺動する。
また，下部ガイドレール３に沿ったＸ軸方向にＧ，Ｈの揺れが生じた場合には、下部ガイドレール３がガイドホルダー５に沿ってＧ，Ｈの距離だけ移動する。即ち，地面が地震により揺れた量だけ下部ガイドレール３とガイドホルダー５が或は下部ガイドレール３のみが移動し、揺れる回数だけその移動を繰り返すことになる。
その際建物に固定されている上部ガイドレール１は、微小な揺れは感ずるものの殆ど移動することはなく、建物も殆ど揺れを感じない。
【００２１】
図７において、図６で示す状態で，地面Ｊの地点が地震により斜め左上方Ｋの地点まで揺れ動いた場合には、下部ガイドレール３が３ａの位置まで移動する、即ち下部ガイドレール３は、上部ガイドレール１に対するガイドホルダー５の摺動を介して，Ｙ軸方向にＬの距離Ｘ軸方向にＭの距離移動することとなる。  地面Ｊの地点が斜め左下方Ｎの地点まで揺れ動いた場合も同様で、下部ガイドレール３は３ｂの位置まで移動する。  この場合も、地震の揺れに伴い移動するのは下部ガイドレール３とガイドホルダー５或は下部ガイドレール３のみで、上部ガイドレール１は移動せず，建物は殆ど揺れを感じない。
【００２２】
図８において、図６で示す状態で，地面Ｐの地点が地震により斜め右上方Ｑ，斜め右下方Ｒの地点まで揺れ動いた場合には、下部ガイドレール３が３ａ，３ｂの位置まで移動する。この場合も前記と同様に、地震の揺れに伴い移動するのは下部ガイドレール３とガイドホルダー５或は下部ガイドレール３のみで、上部ガイドレール１は移動せず、建物は殆ど揺れを感じない。
従って，図６乃至図８の動作説明から分かるように、同一平面上で３６０度あらゆる方向から地震の横波を受けてもそれを充分に吸収し建物に影響を与えることがないものである。
【００２３】
図１０及び図１１は、免震装置のスライド機構部にウッドセラミックスの摩擦体からなるスライダーを利用したすべり軸受けを用いた本発明装置と転がり軸受けを用いた従来装置との摩擦特性の比較実験説明図である。
同図から分かるように、潤滑油を必要とする従来装置では起動時及び運転時を通して摩擦係数が比較的高く，振幅の大きな且つ小刻みな摩擦変動があり安定性に欠けるのに対し、潤滑油を必要としない本発明装置では低摩擦で摩擦変動も小さく安定している。これはウッドセラミックスがそれ自体自己潤滑作用を有し，摩擦係数が極めて小さい摩擦特性を持っているからである。  また，図１１から明らかなように、本発明装置では摩擦速度（摺動速度）が増加するにつれて摩擦係数が僅かづつ増加する特性を示しており、そのため従来装置と異なり摺動速度の増加に伴う摩擦振動を抑制する機能にも充分に優れている。
更にウッドセラミックスの材質上、耐摩耗性，耐久性にも優れている。
斯かる低摩擦で摩擦変動が少なく安定している、振動抑制機能に優れるという特性上、小さな動作エネルギーで円滑・安定した軽快な摺動を繰り返し行うことができ、地震の横波の揺れと建物の揺れとの共振現象の発生を防止して建物の揺れを極力小さく押さえることができ、一戸建て住宅のような軽量住宅の免震を的確に図ることができる。
【００２４】
以上においては，本発明装置を建物の免震を図る場合の適用について説明してきたが、これに限らず軽量機械器具装置についても適用が可能であり、その場合には本発明装置をその据え付け部に配置して用いる。
【００２５】
【発明の効果】
本発明は上記の構成となしたので、上述の従来技術の諸難点を解消し、次のような特有の効果を奏する。
【００２６】
請求項１乃至４に係る発明においては、建物の土台部又は機械器具装置の据え付け部に上下方向に間隔をおいて十字クロスさせて固定配設した上部及び下部ガイドレールの交叉部外面に，内部にＵ字形上部嵌合溝と逆Ｕ字形下部嵌合溝を上下方向に間隔をおいて十字クロスさせて一体成型したガイドホルダーをその嵌合溝を介して摺動可能に嵌合し，この上部及び下部ガイドレールとガイドホルダーとをウッドセラミックスからなる摩擦体によるスライダーを介した面接触により摺動自在に係合せしめたので、そのスライダーの低摩擦で，摩擦変動が少なく安定し，振動抑制機能に優れるという摩擦特性を充分に利用することにより、地震の横波による揺れをスライド機構部で的確に吸収し、建物や機械器具装置類の免震を確実に図ることができる。
そして，小さな動作エネルギーでも軽快で安定した摺動を無潤滑で長期に渡って保持することができ、摩擦変動が少なく安定しているため，地震の横ゆれを受けた当初と受けている最中の摺動機構の揺れスピード（動作速度）が変わらずゆったりと安定しており、応力を低摩擦の面接触により受けるため，上下方向の荷重特に上方への引き抜き荷重にも充分に耐えるることができる。  従って特に，従来困難とされていた一戸建て住宅等の軽量住宅や軽量機械器具装置類の免震をも的確に，且つ全体構造が簡潔であるため経済的に図ることができる。
また，上下方向の引き抜き抵抗に強いので、転倒しやすい塔状の建物や風の吹上が作用する建物の免震にも好適である。
【００２７】
また同時に、ガイドレールに対するスライダーの特殊な係合配設構造により、装置に過大な外力が加わっても無理なく円滑で安定した摺動動作を行うことができるので、免震を図る上で一層好適である。
即ち，側面スライダー１１，１３を嵌着した摺動部材１２，１４は、取り付けネジ１５を介してガイドホルダー５のＵ字形上部嵌合溝６及び逆Ｕ字形下部嵌合溝７の両側面に対し緊締・弛緩自在に取り付けられており，そしてその取り付けネジ１５を介した上部及び下部の嵌合溝６，７の両側面に対する弛緩時には押圧調整ネジ１６（又はボールプランジャ）の押し込み操作量の調整により，摺動部材１２，１４は上部及び下部の嵌合溝の両側面との間に間隙が確保され押圧調整ネジ１６の先端部を中心として適宜角度揺動可能に支持される状態となるので、この摺動部材１２，１４の揺動作用により側面スライダー１１，１３の上部及び下部ガイドレール１，３のＶ字形切欠摺動面２、４に対する接触圧力が適度に自在に調整され、これによって上部及び下部ガイドレール１，３と側面スライダー１１，１３従ってガイドホルダー５とは常に無理なく円滑で安定且つ軽快な面接触による摺動動作を行うことができる。  そして更に、取り付けネジ１５を介して摺動部材１２，１４を上部及び下部嵌合溝６，７の両側面に緊締して密着せしめたときには、側面スライダー１１，１３と上部及び下部ガイドレール１，３のＶ字形切欠摺動面２，４との間に間隙が確保されるので、ガイドホルダー５の上部及び下部嵌合溝６，７への上部及び下部ガイドレール１，３の挿通嵌合即ち装置の組み立てを円滑容易に行うことができる。
【００２８】
請求項２及び３に係る発明においては、スライダーの保有する摩擦特性を一層有効に発揮させることができ、且つ耐蝕性が大であるため設置環境を選ばず使用上好適である。
【図面の簡単な説明】
【図１】本発明の実施形態に係る免震装置の平面図である。
【図２】同上の一部を断面とした正面図である。
【図３】同上の一部を断面とした側面図である。
【図４】上部ガイドレールに対するスライダーの装着説明図である。
【図５】下部ガイドレールに対するスライダーの装着説明図である。
【図６】地震の横波の揺れに対する装置の動作説明図である。
【図７】同上の装置の動作説明図である。
【図８】同上の装置の動作説明図である。
【図９】装置の一戸建て住宅への配置要領図である。
【図１０】本発明と従来装置のスライド機構部の摩擦特性図である。
【図１１】同上の摩擦特性図である。
【符号の説明】
１    上部ガイドレール
２    Ｖ形切欠摺動面
３    下部ガイドレ−ル
４    Ｖ形切欠摺動面
５    ガイドホルダー
６    Ｕ字形上部嵌合溝
７    逆Ｕ字形下部嵌合溝
８    取り付け台
９    下面スライダー
１０    上面スライダー
１１    側面スライダー
１２    摺動部材
１３    側面スライダー
１４    摺動部材
１５    取り付けネジ
１６    押圧調整ネジ
１７    ボルト
１８    アンカーボルト
Ｕ    鉄骨梁
Ｃ    基礎コンクリート
Ｓ    免震装置
Ｙ    床板
Ｔ    壁面
【図１】
0003728689.tif 000002
【図２】
0003728689.tif 000003
【図３】
0003728689.tif 000004
【図４】
0003728689.tif 000005
【図５】
0003728689.tif 000006
【図６】
0003728689.tif 000007
【図７】
0003728689.tif 000008
【図８】
0003728689.tif 000009
【図９】
0003728689.tif 000010
【図１０】
0003728689.tif 000011
【図１１】
0003728689.tif 000012